(57)【要約】      （修正有）【課題】デジタルカメラを使って、常に均一で複写に適した光をフィルムに当てることができるバックライトの条件でフィルムを安価で手軽にデジタル化できるフィルム複写装置を提供する。【解決手段】フィルム複写装置を、ＬＥＤ光源やストロボライトと拡散板を組み合わせたり有機ＥＬ（有機エレクトロルミネッセンス）パネルのような面発光体を用いて常に均一で複写に適した光をフィルムに当てることができるバックライト部１とフィルム２を保持するホルダー３、デジタルカメラ１５と複写するフィルムまでの距離をレンズの焦点距離や複写倍率に応じて調節できかつ固定できる支持具、複写時に外光が入らないようにフィルムとデジタルカメラのレンズ間を覆う筒状のフードや蛇腹などで構成する。【選択図】図１
0003148842.tif 000002
【実用新案登録請求の範囲】
【請求項１】
フィルムに均一で複写に適した光を当てるバックライト部とフィルムを保持するホルダー、デジタルカメラと複写するフィルムまでの距離をレンズの焦点距離や複写倍率に応じて調節できかつ固定できる支持具、複写時に外光が入らないようにフィルムとデジタルカメラのレンズ間を覆うフードで構成したフィルム複写装置。
【考案の詳細な説明】
【技術分野】
【０００１】本考案は、デジタルカメラの普及によって取り残されたフィルム資産をデジタルカメラを使って、安価で手軽に高精度な画像ファイルとしてデジタル化することができるフィルム複写装置に関するものである。
【背景技術】
【０００２】カメラのデジタル化、高解像度化が進み、印刷媒体やＷＥＢなどあらゆる分野において写真素材はほとんどがデジタルで処理されるようになった。このため一般家庭やフォトライブラリー、カメラマン、デザイナー等が保管しているフィルム資産はデジタル化しない限りこれらの分野において使用できなくなっている。
現在、このようなフィルム資産をデジタル化する装置として業務用フィルムスキャナーやフィルムアダプタ付きのフラットベッドスキャナーがあるが、業務用フィルムスキャナーはランニングコストが高く、手軽で安価にフィルムをデジタル化するには不向きである。フィルムアダプタ付きのフラットベッドスキャナーは、ランニングコストは安いが、デジタル化した画像の品質や実解像度が低く商業写真で要求されるレベルの品質を得ることが難しい。フィルム専用のスキャナーも販売されてはいるが、最近のデジタルカメラの価格や性能と比較しても決して高精度で手軽とは言えない。
簡易なフィルム複写装置として拡散板だけのフィルム複写装置があるが、光源の種類や天候、時刻等によって光の状態が変化し、常に一定の条件でフィルムを複写することは難しい。
【考案の開示】
【考案が解決しようとする課題】
【０００３】デジタルカメラを使って、常に均一で複写に適した光をフィルムに当てることができるバックライトの条件でフィルムを安価で手軽にデジタル化できるようにしたい。
【課題を解決するための手段】
【０００４】フィルム複写装置は、常に均一で複写に適した光をフィルムに当てることができるバックライト部とフィルムを保持するホルダー、デジタルカメラと複写するフィルムまでの距離をレンズの焦点距離や複写倍率に応じて調節できかつ固定できる支持具、複写時に外光が入らないようにフィルムとデジタルカメラのレンズ間を覆うフードで構成する。【０００５】バックライトにＬＥＤ光源やストロボライトと拡散板を組み合わせたり、有機ＥＬ（有機エレクトロルミネッセンス）パネルのような面発光体を用いることでフィルムに常に均一で複写に適した光を当てることができる。【０００６】フィルムは、中央にフィルム１カット分の穴を開けた２枚のプレートからなるフィルムホルダーに挟んでバックライトの前面に取り付ける。【０００７】バックライト部とデジタルカメラは、取付位置の調節ができる支持具へ取り付けることにより、フィルムとデジタルカメラ間の距離やフィルムの中心とレンズの光軸とのズレを調節できるようにする。【０００８】複写するフィルムとデジタルカメラのレンズ前面までの間は、長さが調節できる筒状のフードや蛇腹などで覆い外光が入らないようにする。
この装置により〔０００３〕項の課題を解決することができる。
【考案の効果】
【０００９】本考案を実施することにより、デジタルカメラを使って安価で手軽にフィルム画像をデジタル化することができ、一般家庭やフォトライブラリー、カメラマン、デザイナー等が保管しているフィルム資産を印刷媒体やＷＥＢなどあらゆる分野に再び活用可能にすることができる。
【考案を実施するための最良の形態】
【実施例１】
【００１０】図１は本考案によるフィルム複写装置実施例の全体構成図である。バックライト部１とデジタルカメラ１５を取り付ける支持具は溝１０がある棒状の板５とバックライト部を取り付けるステー６、デジタルカメラを取り付けるステー１１からなる。デジタルカメラ１５を取り付けるステー１１は取り付けネジ１２を緩めることにより棒状の板５の溝１０に沿って動かすことができ、バックライト部１とデジタルカメラ１５間の距離を調節できる。【００１１】バックライト部１は取り付けネジ８をバックライト部背面のねじ穴９にねじ込んでステー６に固定する。ステー６には縦溝７があり、バックライト部１の取り付け高さはこの縦溝７に沿って調節できる。デジタルカメラ１５は取り付けネジ１３をデジタルカメラ底面の三脚穴１４にねじ込んでステー１１に固定する。【００１２】フィルム２はフィルムの種類に応じたフィルムホルダー３にはさみ、バックライト部前面のフィルムホルダー取付部４に取り付ける。【００１３】外光を遮断するフードは、長さが調節できるように外側の筒１７に内側の筒１８を差し込んだ二重構造の筒、あるいは蛇腹などでバックライト部１とデジタルカメラのレンズ１６の間に取り付ける。【００１４】〔図２〕はＬＥＤ２１を基板２０上に等間隔に並べて拡散板２２の背後に配置し、フィルム２に均等な光が当たるようにしたバックライト部１の例である。【００１５】〔図３〕はバックライト部１を構成するケース１９の対向する２箇所の壁面にＬＥＤ２１を基板２３、２４上に一列に並べて配置し、光を反射板２５、２６と拡散板２２で拡散してフィルム２に均等な光が当たるようにしたバックライト部１の例である。【００１６】〔図４〕は拡散板２２を有機ＥＬパネル２７に置き換えたバックライト部１の例である。有機ＥＬパネル２４自体が均一な光を発光する面発光体であるため、ＬＥＤ２１や拡散板２２、反射板２５、２６などは不要となる。
【図面の簡単な説明】
【００１７】
【図１】フィルム複写装置の全体構成を一部透視図で示した斜視図である。
【図２】ＬＥＤを使ったバックライト部の構造例１を示す一部断面を表す斜視透視図である。
【図３】ＬＥＤを使ったバックライト部の構造例２を示す一部断面を表す斜視透視図である。
【図４】有機ＥＬパネルを使ったバックライト部の構造例を示す一部断面を表す斜視透視図である。
【符号の説明】
【００１８】１  バックライト部
２  フィルム
３  フィルムホルダー
４  フィルムホルダー取付部
５  棒状の板
６  ステー
７  縦溝
８  取り付けネジ
９  ねじ穴
１０  溝
１１  ステー
１２  取り付けネジ
１３  取り付けネジ
１４  三脚穴
１５  デジタルカメラ
１６  レンズ
１７  外側の筒
１８  内側の筒
１９  ケース
２０  基板
２１  ＬＥＤ
２２  拡散板
２３  基板
２４  基板
２５  反射板
２６  反射板
２７  有機ＥＬパネル
【図１】
0003148842.tif 000003
【図２】
0003148842.tif 000004
【図３】
0003148842.tif 000005
【図４】
0003148842.tif 000006